【手続補正書】
【提出日】平成26年7月31日(2014.7.31)
【手続補正１】
【補正対象書類名】特許請求の範囲
【補正対象項目名】全文
【補正方法】変更
【補正の内容】
【特許請求の範囲】
【請求項１】
長手方向のサーボ・バンドのサーボ・フレームにおけるタイミング・ベースのサーボ・バーストの同期のための方法であって、
各々のバースト内に等しい数のサーボ・ストライプをもつ４つのサーボ・バーストを有する前記サーボ・フレームを配列することであって、前記サーボ・フレームは２つの対称のサブ・フレームを含み、前記サブ・フレームの各々はバースト内では互いに平行なサーボ・ストライプの２つのバーストを含み、前記バーストは互いに非平行である、配列することと、
前記サーボ・バーストの各々を、少なくとも１つの基準サーボ・ストライプを含むように配列することと、
前記サーボ・バーストの各々を、少なくとも１つのシフト・サーボ・ストライプを含むように配列することであって、前記シフトは、フレームの各々のバーストについては前記少なくとも１つの基準サーボ・ストライプに対して長手方向の同じ側になされており、連続的に隣接するフレームのバーストについては長手方向の反対側になされ、前記長手方向の反対側の前記シフトを前記連続的に隣接するフレームと互いに区別するように、配列することと、
を含む方法。
【請求項２】
前記基準サーボ・ストライプを配列する前記ステップは、前記基準サーボ・ストライプを、各々の前記バースト内の同一のサーボ・ストライプ・カウント位置に存在するように配列することを含み、前記シフト・サーボ・ストライプを配列する前記ステップは、前記シフト・サーボ・ストライプを、各々の前記バースト内の同一のサーボ・ストライプ・カウント位置に存在するように配列することを含む、請求項１に記載の方法。
【請求項３】
前記基準サーボ・ストライプを配列する前記ステップは、前記少なくとも１つの基準サーボ・ストライプを、前記バーストの各々における同一の外縁部に配列することを含む、請求項２に記載の方法。
【請求項４】
前記バーストの各々の前記少なくとも１つのシフト・サーボ・ストライプは、前記バーストにおける変調長手方向位置（ＬＰＯＳ）サーボ・ストライプのいずれからも独立している、請求項３に記載の方法。
【請求項５】
前記バーストの各々は、３つのサーボ・ストライプを含み、前記基準サーボ・ストライプを配列する前記ステップは、前記バーストの各々の少なくとも１つの前記基準サーボ・ストライプを、前記バーストの内側の位置に配列することを含み、前記シフト・サーボ・ストライプを配列する前記ステップは、前記シフト・サーボ・ストライプを、前記基準サーボ・ストライプに隣接させて前記バーストの各々の縁部に配列することを含む、請求項３に記載の方法。
【請求項６】
前記基準サーボ・ストライプを配列する前記ステップは、前記基準サーボ・ストライプを、前記バーストの各々の外側サーボ・ストライプとして配列することを含み、前記シフト・サーボ・ストライプを配列する前記ステップは、前記少なくとも１つのシフト・サーボ・ストライプを、前記バーストの各々の内側サーボ・ストライプとして配列することを含む、請求項３に記載の方法。
【請求項７】
前記バーストの各々は、４つのサーボ・ストライプを含み、前記シフト・サーボ・ストライプを配列する前記ステップは、前記バーストの各々の少なくとも１つの前記内側シフト・サーボ・ストライプを、前記基準サーボ・ストライプの１つに隣接させて配列することを含む、請求項６に記載の方法。
【請求項８】
前記バーストの各々は、５つのサーボ・ストライプを含み、前記シフト・サーボ・ストライプを配列する前記ステップは、前記バーストの各々の少なくとも１つの前記内側シフト・サーボ・ストライプを、前記基準サーボ・ストライプの１つに隣接させて配列することを含む，請求項６に記載の方法。
【請求項９】
少なくとも１つの長手方向のサーボ・バンドを定めるサーボ・フレームにおけるタイミング・ベースのサーボ・バーストの磁束サーボ・ストライプ・パターンに記録された事前記録サーボ情報を有する磁気テープ媒体であって、
各々のバースト内に等しい数のサーボ・ストライプをもつ４つのサーボ・バーストを有する前記サーボ・フレームであって、前記サーボ・フレームは２つの対称のサブ・フレームを含み、前記サブ・フレームの各々はバースト内では互いに平行であるサーボ・ストライプの２つのバーストを含み、前記バーストは互いに対して平行ではない、前記サーボ・フレームと、
少なくとも１つの基準サーボ・ストライプを含む前記サーボ・バーストの各々と、
少なくとも１つのシフト・サーボ・ストライプを含む前記サーボ・バーストの各々であって、前記シフトは、フレームの各々のバーストについては前記少なくとも１つの基準サーボ・ストライプに対して長手方向の同じ側になされており、連続的に隣接するフレームのバーストについては長手方向の反対側になされ、前記長手方向の反対側の前記シフトを前記連続的に隣接するフレームと互いに区別するようにする、前記サーボ・バーストの各々と、
を含む、磁気テープ媒体。
【請求項１０】
前記基準サーボ・ストライプは、各々の前記バースト内の同一のサーボ・ストライプ・カウント位置に存在し、前記シフト・サーボ・ストライプは、各々の前記バースト内の同一のサーボ・ストライプ・カウント位置に存在する、請求項９に記載の磁気テープ媒体。
【請求項１１】
前記少なくとも１つの基準サーボ・ストライプは、前記バーストの各々における同一の少なくとも一つの外縁部に存在する、請求項１０に記載の磁気テープ媒体。
【請求項１２】
前記バーストの各々の前記少なくとも１つのシフト・サーボ・ストライプは、前記バーストにおける変調長手方向位置（ＬＰＯＳ）サーボ・ストライプのいずれからも独立している、請求項１１に記載の磁気テープ媒体。
【請求項１３】
前記バーストの各々は、３つのサーボ・ストライプを含み、前記少なくとも１つの基準サーボ・ストライプは、前記バーストの各々の内側の位置に存在し、前記シフト・サーボ・ストライプは、前記基準サーボ・ストライプに隣接して前記バーストの各々の縁部に存在する、請求項１１に記載の磁気テープ媒体。
【請求項１４】
前記基準サーボ・ストライプは、前記バーストの各々の外側サーボ・ストライプであり、前記少なくとも１つのシフト・サーボ・ストライプは、前記バーストの各々の少なくとも１つの内側サーボ・ストライプである、請求項１１に記載の磁気テープ媒体。
【請求項１５】
前記バーストの各々は、４つのサーボ・ストライプを含み、前記バーストの各々の少なくとも１つの前記内側シフト・サーボ・ストライプは、前記基準サーボ・ストライプの１つに隣接する、請求項１４に記載の磁気テープ媒体。
【請求項１６】
前記バーストの各々は、５つのサーボ・ストライプを含み、前記バーストの各々の少なくとも１つの前記内側シフト・サーボ・ストライプは，前記基準サーボ・ストライプの１つに隣接する、請求項１４に記載の磁気テープ媒体。
【請求項１７】
少なくとも１つの長手方向のトラックを定めるフレームのバーストとして記録された、タイミング・ベースのサーボ・ストライプの検知可能な転移パターンであって、
各々のバースト内に等しい数のサーボ・ストライプをもつ４つのバーストを有する前記フレームであって、前記フレームは２つの対称のサブ・フレームを含み、前記サブ・フレームの各々はバースト内では互いに平行であるサーボ・ストライプの２つのバーストを含み、前記バーストは互いに対して平行ではない、前記フレームと、
少なくとも１つの基準サーボ・ストライプを含む前記バーストの各々と、
少なくとも１つのシフト・サーボ・ストライプを含む前記バーストの各々であって、前記シフトは、フレームの各々のバーストについては前記少なくとも１つの基準サーボ・ストライプに対して長手方向の同じ側になされており、連続的に隣接するフレームのバーストについては長手方向の反対側になされ、前記長手方向の反対側の前記シフトを前記連続的に隣接するフレームと互いに区別するようにする、前記バーストの各々と、
を含む、サーボ・ストライプの検知可能な転移パターン。
【請求項１８】
前記基準サーボ・ストライプは、各々の前記バースト内の同一のサーボ・ストライプ・カウント位置に存在し、前記シフト・サーボ・ストライプは、各々の前記バースト内の同一のサーボ・ストライプ・カウント位置に存在する、請求項１７に記載のサーボ・ストライプの検知可能な転移パターン。
【請求項１９】
前記少なくとも１つの基準サーボ・ストライプは、前記バーストの各々における同一の少なくとも一つの外縁部に存在する、請求項１８に記載のサーボ・ストライプの検知可能な転移パターン。
【請求項２０】
前記バーストの各々は、３つのサーボ・ストライプを含み、前記少なくとも１つの基準サーボ・ストライプは、前記バーストの各々の内側の位置に存在し、前記シフト・サーボ・ストライプは、前記基準サーボ・ストライプに隣接して前記バーストの各々の縁部に存在する、請求項１９に記載のサーボ・ストライプの検知可能な転移パターン。
【請求項２１】
前記基準サーボ・ストライプは、前記バーストの各々の外側サーボ・ストライプであり、前記少なくとも１つのシフト・サーボ・ストライプは、前記バーストの各々の少なくとも１つの内側サーボ・ストライプである、請求項１９に記載のサーボ・ストライプの検知可能な転移パターン。
【請求項２２】
前記バーストの各々は、４つのサーボ・ストライプを含み、前記バーストの各々の少なくとも１つの前記内側シフト・サーボ・ストライプは、前記基準サーボ・ストライプの１つに隣接する、請求項２１に記載のサーボ・ストライプの検知可能な転移パターン。
【請求項２３】
前記バーストの各々は、５つのサーボ・ストライプを含み、前記バーストの各々の少なくとも１つの前記内側シフト・サーボ・ストライプは，前記基準サーボ・ストライプの１つに隣接する、請求項２１に記載のサーボ・ストライプの検知可能な転移パターン。
【請求項２４】
磁束タイミング・ベースのサーボ・ストライプを書き込むように構成された、間隔を置いて配置された少なくとも２つの書き込み素子と、
磁気テープを所定の速度で前記書き込み素子を横切って長手方向に移動させるように構成されたドライブと、
間隔を置いて配置された前記書き込み素子に前記磁束サーボ・ストライプを書き込ませるように構成されたタイミング・パルスのソースと、
少なくとも１つの長手方向のサーボ・バンドを定めるサーボ・フレームにおけるタイミング・ベースのサーボ・バーストのパターンを書き込むために、タイミング・パルスの前記ソースのタイミングをシフトするように構成されたエンコーダと、
を含み、前記パターンは、
各々のバースト内に等しい数のサーボ・ストライプをもつ４つのサーボ・バーストを有する前記サーボ・フレームであって、前記サーボ・フレームは２つの対称のサブ・フレームを含み、前記サブ・フレームの各々はバースト内では互いに平行であるサーボ・ストライプの２つのバーストを含み、前記バーストは互いに対して平行ではない、前記サーボ・フレームと、
少なくとも１つの基準サーボ・ストライプを含む前記サーボ・バーストの各々と、
少なくとも１つのシフト・サーボ・ストライプを含む前記サーボ・バーストの各々であって、前記シフトは、フレームの各々のバーストについては前記少なくとも１つの基準サーボ・ストライプに対して長手方向同じ側になされており、連続的に隣接するフレームのバーストについては長手方向の反対側になされている、
磁気テープ・サーボ・ライタ。
【請求項２５】
磁気テープ媒体上に記録されたフレーム内に配列されたサーボ・ストライプのタイミング・ベースのバーストを有する長手方向のサーボ・バンドにおける検知された前記サーボ・ストライプに応答するように構成された、磁気テープ・サーボ検出システムであって、
選択され検知された前記サーボ・ストライプ間のタイミング・ベースの間隔を検出するように構成された検出システムと、
前記検出された間隔に応答して、前記タイミング・ベースのバーストを識別し、前記バーストの基準サーボ・ストライプを識別するように構成されたデコーダであって、前記バーストの各々のサーボ・ストライプの位置シフトを検出し、前記検出されたシフト・サーボ・ストライプの長手方向を検出し、前記フレームを識別するために前記位置シフトの前記検出された長手方向をデコードするように構成され、前記シフトは、フレームの各々のバーストについては前記少なくとも１つの基準サーボ・ストライプに対して長手方向の同じ側になされており、連続的に隣接するフレームのバーストについては長手方向の反対側になされ、前記長手方向の反対側の前記シフトを前記連続的に隣接するフレームと互いに区別するようにする、デコーダと、
を含む、磁気テープ・サーボ検出システム。